(57)【要約】【課題】光反射率の高低で明色領域と暗色領域のあるマットの模様を形成する。【解決の手段】本発明に係るループパイルカットパイル模様マット１は、ループパイル２１の先端に形成されたループパイル頭部２２が高光反射率であることによりループパイル領域２０を明色領域とし、カットパイル１１の先端に形成されたカット端面１２が低光反射率であることによりカットパイル領域１０を暗色領域とし、明色領域と暗色領域を隣接させて明暗模様を顕現させる。ループパイル頭部２２での微細領域の個数密度を１０００個／ｃｍ２以上に設定して明色領域の明色化を強化し、カット端面１２でのフィラメントの本数密度を１０００本／ｃｍ２以上に設定して暗色領域の暗色化を強化できる。【選択図】図１
2019130000.tif 000002
【特許請求の範囲】
【請求項１】
複数本のループパイルで形成されたループパイル領域と複数本のカットパイルで形成されたカットパイル領域を隣接させて模様を構成する模様マットであり、前記ループパイルの先端に形成されたループパイル頭部が高光反射率であることにより前記ループパイル領域を明色領域とし、前記カットパイルの先端に形成されたカット端面が低光反射率であることにより前記カットパイル領域を暗色領域とし、前記明色領域と前記暗色領域を隣接させて明暗模様を顕現させることを特徴とするループパイルカットパイル模様マット。
【請求項２】
前記ループパイル頭部に形成された多数の微細領域による乱反射により明色化が生起され、ループパイル頭部での微細領域の個数密度が１０００個／ｃｍ２以上に設定されて、前記明色領域の明色化が強化される請求項１に記載のループパイルカットパイル模様マット。
【請求項３】
前記カット端面に露出する多数のフィラメントにより暗色化が生起され、前記カット端面でのフィラメントの本数密度が１０００本／ｃｍ２以上で設定されて、前記暗色領域の暗色化が強化される請求項１又は２に記載のループパイルカットパイル模様マット。
【請求項４】
前記カットパイル領域におけるカットパイルの目付を５００ｇ／ｍ２以上とする請求項１〜３のいずれかに記載のループパイルカットパイル模様マット。
【請求項５】
前記ループパイル領域は前記ループパイルが４本以上連続して形成され、且つ前記カットパイル領域は前記カットパイルが４本以上連続して形成されている請求項1〜４に記載のループパイルカットパイル模様マット。
【請求項６】
前記ループパイルの高さは前記カットパイルの高さ以上である請求項1〜５のいずれかに記載のループパイルカットパイル模様マット。
【請求項７】
前記ループパイルの高さは２インチ以上である請求項1〜６のいずれかに記載のループパイルカットパイル模様マット。
【請求項８】
前記ループパイル領域と前記カットパイル領域が隣接する境界にはパイル1本分以上の溝幅を有したパイルを打ち込まない境界溝が形成される請求項1〜７のいずれかに記載のループパイルカットパイル模様マット。
【発明の詳細な説明】
【技術分野】
【０００１】
本発明は、基布層の表面にパイル層を植設し裏面にバッキング層を形成したマットに関し、更に詳細には、パイル層がループパイルとカットパイルから形成される模様マットに関する。
【背景技術】
【０００２】
模様マットに関連する従来技術として、特許文献１（実登２５０７１９７８号公報）は「ダストコントロールマット」に関する。本願に示す図９から分かるように、高さの低いローループパイル１０３から形成されるロー部分ａと、高さの高いハイカットパイル１０４から形成されるハイ部分ｂを有し、ロー部分ａとハイ部分ｂにより模様が形成されている。
しかし、ローループパイル１０３とハイカットパイル１０４の光反射率の違いについては記載も示唆もされておらず、光反射率の違いによる模様の顕現を強化する方策は一切施されていない。逆に、背の高いハイカットパイル１０４が踏まれて倒れるとロー部分ａの境界を隠してしまい、境界の模様を減殺するという弱点がある。
【０００３】
特許文献２（実用新案登録第３０７１８３４号公報）は「マット」に関する。を示す。その要約には、本願に示す図１０からも分かるように、ループパイル２１２ａとカットパイル２１２ｂとを混在して植設することにより模様が現出されると書かれている。
しかしながら、ループパイル２１２ａとカットパイル２１２ｂの光反射率の違いについては記載も示唆もされておらず、光反射率の違いによる模様の顕現を強化する方策は一切施されていない。特許文献１と同様に、ループパイル２１２ａの高さは低く、カットパイル２１２ｂの高さは高くしているから、背の高いカットパイル２１２ｂが踏まれてループパイル２１２ａの上に倒れ込むと、境界が不鮮明になり、模様の現出を減殺するという欠点を有する。
【０００４】
特許文献３（特開２００２−２９４５４５号公報）は「マット」に関する。要約には、本願に示す図１１からも分かるように、カットパイルのカット端面２００、３００、４００が呈する色合いによって区別される３種類のパイル２０２、２０３、２０４が、任意の模様を構成するように基布２０５にタフトされている。あくまで、複数種のカット端面の色合いを変えることによって模様を現出させているだけである。
他方、図面から分かるように、ループパイル３０２Ａは高さがかなり低く、カットパイルの中に完全に隠れてしまっており、ループパイル３０２Ａの存在は模様の形成には役立っていない。
【０００５】
特許文献４（特開平１１−２０６６９６号公報）は「業務用機能性ダストコントロールマット」に関する。その段落［０００９］と本願に示す図１２からも分かるように、地部４１６と絵部４１７のパイル４２１・４２３はカットパイルであり、パイル４２１とパイル４２３の色を変えることにより模様を現出させているに過ぎない。
即ち、地部１６のカットパイルと絵部１７のカットパイルの間が、それらのカットパイル４２１、４２３より低いループパイル４２２により仕切られているのである。従って、特許文献４ではループパイル４２２は模様形成には何ら寄与していない、と断言できる。
【先行技術文献】
【特許文献】
【０００６】
【特許文献１】実登２５０７１９７８号公報
【特許文献２】実用新案登録第３０７１８３４号公報
【特許文献３】特開２００２−２９４５４５号公報
【特許文献４】特開平１１−２０６６９６号公報
【発明の概要】
【発明が解決しようとする課題】
【０００７】
前述したように、特許文献１では、光反射率の違いによる模様の顕現を強化する方策は一切施されておらず、逆に、背の高いハイカットパイル１０４が踏まれて倒れるとロー部分ａの境界を隠してしまい、境界の模様を減殺するという弱点がある。特許文献２でも、光反射率の違いによる模様顕現は一切記載されておらず、特許文献１と同様に、ループパイル２１２ａは低く、カットパイル２１２ｂは高くしており、足踏みで背の高いカットパイル２１２ｂがループパイル２１２ａの上に倒れ込むと、境界が不鮮明になり、模様の現出を減殺する欠点が有する。
【０００８】
特許文献３では、カットパイルのカット端面２００、３００、４００が呈する色合いによって模様を現出させているだけであり、またループパイル３０２Ａは高さがかなり低くてカットパイルの中に完全に隠れており、ループパイル３０２Ａの存在は模様の形成には何ら役立っていない。特許文献４でも、カットパイル４２１とカットパイル４２３の色を変えることにより模様を現出させているに過ぎず、ループパイル４２２は仕切りだけで模様形成には何ら寄与していない。
【０００９】
従って、本願発明の第１目的は、ループパイルとカットパイルとの光反射率の大きな相違の発見に基づき、ループパイルの先端に形成されたループパイル頭部が高光反射率であることによりループパイル領域を明色領域とし、カットパイルの先端に形成されたカット端面が低光反射率であることによりカットパイル領域を暗色領域とし、明色領域と暗色領域を隣接させて明暗模様を顕現させるループパイルカットパイル模様マットを提供することである。
【００１０】
また、本願発明の第２目的は、ループパイル頭部に形成された多数の微細領域による乱反射により明色化が生起され、ループパイル頭部での微細領域の個数密度を１０００個／ｃｍ２以上に設定して、明色領域の明色化を強化するループパイルカットパイル模様マットを提供することである。
【００１１】
更に、本願発明の第３目的は、カット端面に露出する多数のフィラメントにより暗色化が生起され、カット端面でのフィラメントの本数密度を１０００本／ｃｍ２以上で設定して、暗色領域の暗色化を強化するループパイルカットパイル模様マットを提供することである。
【００１２】
また、本願発明の第４目的は、第１には前記カットパイル領域におけるカットパイルの目付を５００ｇ／ｍ２以上としたり、第２にはループパイル領域とカットパイル領域には４本以上のパイルを連続して形成したり、第３にはループパイルの高さをカットパイルの高さ以上に高く例えば２インチ以上にしたり、第４にはループパイル領域とカットパイル領域が隣接する境界にはパイル1本分以上の幅を有したパイルを打ち込まない境界溝を形成したループパイルカットパイル模様マットを提供することである。
【課題を解決するための手段】
【００１３】
本発明は、上記課題を解決するために提案されたものであって、本発明の第１の形態は、複数本のループパイルで形成されたループパイル領域と複数本のカットパイルで形成されたカットパイル領域を隣接させて模様を構成する模様マットであり、ループパイルの先端に形成されたループパイル頭部が高光反射率であることによりループパイル領域を明色領域とし、カットパイルの先端に形成されたカット端面が低光反射率であることによりカットパイル領域を暗色領域とし、明色領域と暗色領域を隣接させて明暗模様を顕現させるループパイルカットパイル模様マットである。
【００１４】
本発明の第２の形態は、ループパイル頭部に形成された多数の微細領域による乱反射により明色化が生起され、ループパイル頭部での微細領域の個数密度が１０００個／ｃｍ２以上に設定されて、前記明色領域の明色化が強化されるループパイルカットパイル模様マットである。
【００１５】
本発明の第３の形態は、カット端面に露出する多数のフィラメントにより暗色化が生起され、カット端面でのフィラメントの本数密度が１０００本／ｃｍ２以上で設定されて、暗色領域の暗色化が強化されるループパイルカットパイル模様マットである。
【００１６】
本発明の第４の形態は、カットパイル領域におけるカットパイルの目付を５００ｇ／ｍ２以上とするループパイルカットパイル模様マットである。
【００１７】
本発明の第５の形態は、ループパイル領域はループパイルが４本以上連続して形成され、且つカットパイル領域はカットパイルが４本以上連続して形成されているループパイルカットパイル模様マットである。
【００１８】
本発明の第６の形態は、ループパイルの高さはカットパイルの高さ以上であるループパイルカットパイル模様マットである。
【００１９】
本発明の第７の形態は、ループパイルの高さが２インチ以上であるループパイルカットパイル模様マットである。
【００２０】
本発明の第８の形態は、ループパイル領域とカットパイル領域が隣接する境界にはパイル1本分以上の幅を有したパイルを打ち込まない境界溝が形成されるループパイルカットパイル模様マットである。
【発明の効果】
【００２１】
本発明の第１の形態によれば、複数本のループパイルで形成されたループパイル領域と複数本のカットパイルで形成されたカットパイル領域を隣接させて模様を構成する模様マットであり、ループパイルの先端に形成されたループパイル頭部が高光反射率であることによりループパイル領域を明色領域とし、カットパイルの先端に形成されたカット端面が低光反射率であることによりカットパイル領域を暗色領域とし、明色領域と暗色領域を隣接させて明暗模様を顕現させるループパイルカットパイル模様マットが提供される。
本願発明者は、ループパイルとカットパイルが同色の場合にループパイルの頭部の反射光が乱反射してやや白色に明色化して見え、カットパイルのカット端面の反射光の減量により濃色に暗色化して見えることを発見した。ループパイル頭部は撚り繊維の微細領域の夫々が反射面になって乱反射して明色化し、カット端面では多数の直立した撚り繊維の間に入射光が吸収されてしまうために光反射量が減量して暗色化することが分かった。
黒色以外の色のパイル糸を用いてループパイルとカットパイルを形成しても、当該色のループパイルの明色化とカットパイルの暗色化が達成できることも分かった。
また、ループパイルの色とカットパイルの色が異なっても、上記の条件下では、ループパイル頭部の明色化が強化され、カット端面の暗色化が強化されるから、ループパイル領域とカットパイル領域の境界がより鮮明に分離され、模様がより鮮明に顕現されることも分かった。
【００２２】
本発明の第２の形態によれば、ループパイル頭部に形成された多数の微細領域による乱反射により明色化が生起され、ループパイル頭部での微細領域の個数密度が１０００個／ｃｍ２以上に設定されて、前記明色領域の明色化が強化されるループパイルカットパイル模様マットが提供できる。
一般にパイル糸を形成する手順は、複数本のフィラメントを紡糸してマルチフィラメントにし、複数本のマルチフィラメントを引き揃えてパイル糸を形成する構造において、フィラメントの繊度は２ｄＴ〜３０ｄＴの範囲であり、そして５０本〜３００本のフィラメントを紡糸してマルチフィラメントを形成し、更に２本〜１０本のマルチフィラメントを引き揃えてパイル糸を形成し、最終的なパイル糸の総繊度が１０００ｄＴ〜６０００ｄＴのパイル糸を形成する。
ここで、本願発明者はループパイルの明色化が強化される条件を研究したところ、多数の前記フィラメントがループパイル頭部に形成している多数の微細領域により乱反射が生起される。ループパイル頭部の微細領域の個数の増大が乱反射強度を増大化させることを発見した。ループパイル頭部での微細領域の個数密度が１０００個／ｃｍ２以上であれば乱反射による明色化が好適であることが分かった。また、１５００個／ｃｍ２以上であればより好適になり、更に２０００個／ｃｍ２以上であれば最良になることを発見するに至った。
【００２３】
本発明の第３の形態によれば、カット端面に露出する多数のフィラメントにより暗色化が生起され、カット端面でのフィラメントの本数密度が１０００本／ｃｍ２以上で設定されて、暗色領域の暗色化が強化されるループパイルカットパイル模様マットが提供できる。
本願発明者の研究により、カットパイルのカット端面に露出する前記フィラメントの本数が増大する程、カット端面の暗色化が増大することが分かった。本発明者が実験したところ、暗色化が強化されるにはカット端面におけるフィラメントの本数密度が１０００本／ｃｍ２以上で好適であり、２０００本／ｃｍ２以上でより好適であり、３０００本／ｃｍ２以上で最良になることを発見するに至った。
【００２４】
本発明の第４の形態によれば、カットパイル領域におけるカットパイルの目付を５００ｇ／ｍ２以上とするループパイルカットパイル模様マットが提供される。
通常、マットの上を歩行すると、ループパイルは自立性を保持できるが、カットパイルは倒れ込み、カットパイルの腹部が露出し、カットパイルの腹部の色とループパイルの色とが同化してしまい、模様の境界がグラデーション化して模様が見えにくくなる傾向がある。
本発明では、カットパイルが倒れにくくするために、カットパイル領域におけるカットパイルの目付を５００ｇ／ｍ２以上とすることとした。７００ｇ／ｍ２以上であれば更に好ましく、１０００ｇ／ｍ２以上あれば最良である。
【００２５】
本発明の第５の形態によれば、ループパイル領域はループパイルが４本以上連続して形成され、且つカットパイル領域はカットパイルが４本以上連続して形成されているループパイルカットパイル模様マットが提供される。
本発明では、模様をループパイル領域で表現してもよいし、カットパイル領域で表現してもよい、その場合において、模様を表現するループパイル領域又はカットパイル領域を形成するパイルの本数は４本以上が連続して構成されることが必須である。より好ましくは連続して１０本以上であり、連続して２０本以上であれば最良である。一本のパイルの大きさにも依存するが、模様が看者によって視認できるためには、模様領域の大きさが一定以上なければならず、その条件を本形態発明で規定している。
【００２６】
本発明の第６の形態によれば、ループパイルの高さはカットパイルの高さ以上であるループパイルカットパイル模様マットが提供される。
ループパイルの高さをカットパイルの高さ以上に、即ちループパイルの高さをカットパイルの高さと同等又はそれより大きく設定すれば、ループパイル領域とカットパイル領域の境界において、カットパイルがループパイル側に倒れ込むことを阻止できる。換言すれば、カットパイルの倒れ込みを隣接するループパイルが阻止でき、境界を明瞭に保持できるから、模様を長期に亘って明瞭に維持することが可能になる。境界の安定した保持こそが模様の顕現を明瞭化するからである。
【００２７】
本発明の第７の形態によれば、ループパイルの高さが２インチ以上であるループパイルカットパイル模様マットが提供される。
一般に、カットパイルでは、その先端にあるカット端面は根元部よりも開くから、大きく開いたカット端面が根元部の周囲にある基布面を隠し、基布は看者から視認できないのが通常である。
他方、ループパイルは自立した状態では略楕円形状になっているから、ループパイル頭部が収束しており、根元部の周囲の基布面が看者により視認できる場合がある。そこで、本発明ではループパイルの高さを２インチ以上に設定することにより、自立状態の楕円形状の最太部を増大化でき、その最太部がその根元部の周囲を隠し、看者が根元部の周囲の基布面の視認を不能にする作用効果がある。ループパイルの高さが３インチ以上であれば更に好ましく、４インチ以上であれば最良であることが明らかになった。
【００２８】
本発明の第８の形態によれば、ループパイル領域とカットパイル領域が隣接する境界にはパイル1本分以上の幅を有したパイルを打ち込まない境界溝が形成されるループパイルカットパイル模様マットが提供される。
本発明では、ループパイル領域が模様領域である場合と、カットパイル領域が模様領域である場合のいずれであってもよい。共通して云えることは、ループパイル領域とカットパイル領域が隣接する境界が経時的に安定して保持できることが模様の顕現には重要である。
そこで本形態発明では、ループパイル領域とカットパイル領域が隣接する境界にパイル1本分以上の幅を有したパイルを打ち込まない境界溝を設ける。パイル1本分以上の幅を有しているから、溝幅はパイル１本分でもよいし、パイル２本分以上であってもよい。この溝幅を有した境界溝を模様領域の周囲に形成することによって、模様を明瞭に現出することが可能になる。溝幅がパイル１本分又は２本分であれば、足踏みによるカットパイルの倒れ込みを、隣接するループパイルにより阻止することも可能になり、模様の長期現出を維持することもできる。
【図面の簡単な説明】
【００２９】
【図１】図１は、本発明に係るループパイルカットパイル模様マットにおいて、カットパイル領域を模様にした実施形態を示す部分概略図である。
【図２】図２は、本発明において、図１の概略断面図である。
【図３】図３は、本発明に係るループパイルカットパイル模様マットにおいて、ループパイル領域を模様にした実施形態を示す部分概略図である。
【図４】図４は、本発明において、図３の概略断面図である。
【図５】図５は、本発明において、ループパイル領域とカットパイル領域の境界に１パイル分以上の溝幅を開けた境界溝を設けた部分概略図である。
【図６】図６は、本発明において、図５の概略断面図である。
【図７】図７は、本発明に係るループパイルカットパイル模様マットにおいて、ループパイルをカットパイルより高くしたハイループパイル領域を有した実施形態を示す部分概略図である。
【図８】図８は、本発明において、図７の概略断面図である。
【図９】図９は、従来の特許文献１（実登２５０７１９７８号公報）に示されたロー部分ａとハイ部分ｂにより模様が形成されたダストコントロールマットの従来概略図である。
【図１０】図１０は、従来の特許文献２（実用新案登録第３０７１８３４号公報）に示された低いループパイル２１２ａと高いカットパイル２１２ｂにより模様が形成されたマットの従来概略図である。
【図１１】図１１は、従来の特許文献３（特開２００２−２９４５４５号公報）に示された超低いループパイルで横倒れを防いでカット端面の色違いで模様が形成されたマットの従来概略図である。
【図１２】図１２は、従来の特許文献４（特開平１１−２０６６９６号公報）に示されたマットで、図３と同様に、ループパイルで横倒れを防いでカット端面の色違いで模様が形成された業務用機能性ダストコントロールマットの従来概略図である。
【発明を実施するための形態】
【００３０】
以下に、本発明に係るループパイルカットパイル模様マットの実施形態を図面に従って詳細に説明する。
【００３１】
図１は、本発明に係るループパイルカットパイル模様マットにおいて、カットパイル領域を模様にした実施形態を示す部分概略図である。
ダストコントロールマットの一部を示した模様マット１において、パイル層２が基布層３に植設され、その裏側にゴムやエラストマーなどからなるバッキング層４で構成されている。パイル層２にはカットパイル領域１０とループパイル領域２０が配置されており、カットパイル領域１０は連続した４本以上のカットパイル１１を有して模様が構成されている。ループパイル領域２０は連続した４本以上のループパイル２１を有して、前記カットパイル領域１０を包囲している。
カットパイル領域１０とループパイル領域２０の境界３０では、カットパイル１１とループパイル２１が密に隣接して、隙間の無い境界３０を形成している。
【００３２】
カットパイル領域１０はカットパイル１１の切断面であるハッチングされたカット端面１２が露出して構成され、カットパイル領域１０は太陽光や電灯光が照射されると暗色化して看者に看取される。他方、ループパイル領域２０はループパイル頭部２２が露出して構成され、ループパイル領域２０は太陽光や電灯光が照射されると乱反射されて明色化して看者には看取される。
本発明に係る模様マット１は、ループパイル頭部２２が高光反射率であることによりループパイル領域２０を明色領域とし、低光反射率であるカットパイル領域を暗色領域とし、明色領域と暗色領域を隣接させて明暗模様を顕現させることを特徴としている。
特に、本発明の特徴は、明色化と暗色化を理論的に検討し点である。即ち、ループパイル２１とカットパイル１１が同色の場合にループパイル頭部２２の反射光が乱反射してやや白色に明色化して見え、カットパイル１１のカット端面１２の反射光の減量により濃色に暗色化して見えることを本願発明者は発見した。ループパイル頭部２２は撚り繊維の微細領域の夫々が反射面になり、これらの微細領域の微細領域面が色々な方向に向いているために、微細領域の反射光は乱反射して明色化することが分かった。逆に、カット端面１２では多数の直立した撚り繊維の間に入射光が吸収されてしまうために光反射量が減量して暗色化することが分かった。
【００３３】
一般に、ループパイル２１やカットパイル１１を形成するパイルの製造手順は、複数本のフィラメントを紡糸してマルチフィラメントにするマルチフィラメント製造工程と、複数本のマルチフィラメントを引き揃えてパイル糸を形成するパイル糸製造工程からなる。このとき、フィラメントの繊度は２ｄＴ〜３０ｄＴの範囲であり、そして５０本〜３００本のフィラメントを紡糸してマルチフィラメントを形成し、更に２本〜１０本のマルチフィラメントを引き揃えてパイル糸を形成し、最終的なパイル糸の総繊度は１０００ｄＴ〜６０００ｄＴになる。
本願発明者はループパイル２１の明色化が強化される条件を検討したところ、多数の前記フィラメントがループパイル頭部２２に形成している多数の微細領域により乱反射が生起される。ループパイル頭部２２の微細領域の個数の増大が乱反射強度を増大化させることを発見した。ループパイル頭部２２の微細領域の個数と乱反射強度との関係を検討した結果、ループパイル頭部２２での微細領域の個数密度が１０００個／ｃｍ２以上であれば乱反射による明色化が好適になり、１５００個／ｃｍ２以上であればより好適になり、２０００個／ｃｍ２以上であれば最良になることを発見するに至った。
【００３４】
更に、カットパイル１１のカット端面１２に露出する前記フィラメントの本数が増大する程、カット端面の暗色化が増大することが分かった。本発明者が実験したところ、暗色化が強化されるにはカット端面におけるフィラメントの本数密度が１０００本／ｃｍ２以上で好適であり、２０００本／ｃｍ２以上でより好適であり、３０００本／ｃｍ２以上で最良になることを発見するに至った。
黒色のパイル糸でも非黒色のパイル糸を用いてループパイル２１とカットパイル１１を形成しても、当該色のループパイル２１の明色化とカットパイル１１の暗色化が強力に達成できることが分かった。
また、ループパイル２１の色とカットパイル１１の色が異なっても、上記の本数密度の条件下では、ループパイル頭部２２の明色化が強化され、カット端面１２の暗色化が強化されることも分かった。このように、微細領域の個数密度とフィラメントの本数密度の条件を満足すれば、どんな色の配色であっても、ループパイル領域２０とカットパイル領域１０の境界３０がより鮮明に分離して視認され、模様がより鮮明に顕現されることが分かった。
【００３５】
図２は、本発明において、図１の概略断面図である。カットパイル領域１０の左右は、密設した隣接状態で、ループパイル領域２０、２０で挟まれている。カットパイル領域１０はカットパイル１１のカット端面１２が露出して、前述したように暗色領域が形成される。
また、左右のループパイル領域２０、２０は多数のループパイル２１が植設されており、ループパイル頭部２２が露出して前述した明色領域が形成される。
更に、カットパイル領域１０とループパイル領域２０の境界３０は、カットパイル１１とループパイル２１が隙間を空けずに密接した状態で形成されている。しかし、その境界３０は強化された明色領域と強化された暗色領域の連接点であり、看者には明瞭な境界３０として映じ、カットパイル領域１０の模様が浮き出た状態で形成される。
【００３６】
図３は、本発明に係るループパイルカットパイル模様マットにおいて、ループパイル領域を模様にした実施形態を示す部分概略図である。
ダストコントロールマットの一部を示した模様マット１において、パイル層２が基布層３に植設され、その裏側にゴムやエラストマーなどからなるバッキング層４で構成されている。パイル層２にはループパイル領域２０とカットパイル領域１０とが配置されており、模様領域であるループパイル領域２０は連続した４本以上のループパイル２１を有して模様が構成されている。カットパイル領域１０は連続した４本以上のカットパイル１１を有して、前記ループパイル領域２０を包囲している。
ループパイル領域２０とその周囲を取り巻くカットパイル領域１０の境界３０では、ループパイル２１とカットパイル１１が密に隣接して、隙間の無い境界３０を形成している。
【００３７】
模様領域であるループパイル領域２０はループパイル頭部２２が露出して構成され、ループパイル領域２０は太陽光や電灯光が照射されると乱反射されて明色化して看者に看取される。他方、カットパイル領域１０はカットパイル１１の切断面であるハッチングされたカット端面１２が露出して構成され、カットパイル領域１０は太陽光や電灯光が照射されると暗色化して看者には看取される。
本発明に係る模様マット１は、ループパイル頭部２２が高光反射率であることによりループパイル領域２０を明色領域して模様領域とし、低光反射率であるカットパイル領域を暗色領域として明色領域を包囲し、明色領域と暗色領域を隣接させて明暗模様を顕現させることに成功したものである。
特に、本発明の特徴は、ループパイル頭部２２は撚り繊維の微細領域の夫々が反射面になり、これらの微細領域の微細領域面が色々な方向に向いているために、微細領域の反射光は乱反射して明色化する。逆に、カット端面１２では多数の直立した撚り繊維の間に入射光が吸収されてしまうために光反射量が減量して暗色化する。本発明の特徴は、境界３０を介して生じる光反射率の高低差を利用して、模様を顕現させている点である。
【００３８】
図４は、本発明において、図３の概略断面図である。ループパイル領域２０の左右は、密設した隣接状態でカットパイル領域１０、１０に挟まれている。ループパイル領域２０は多数のループパイル２１が植設されており、ループパイル頭部２２が露出して前述した明色領域が形成される。カットパイル領域１０、１０はカットパイル１１のカット端面１２が露出して、前述したように暗色領域が形成される。
更に、ループパイル領域２０とカットパイル領域１０の境界３０は、ループパイル２１とカットパイル１１が隙間を空けずに密接した状態で形成されている。しかし、その境界３０は強化された暗色領域と強化された明色領域の連接点であり、看者には明瞭な境界３０として映じ、ループパイル領域２０の模様が浮き出た状態で形成される。
【００３９】
図５は、本発明において、ループパイル領域とカットパイル領域の境界に１パイル分以上の溝幅を開けた境界溝を設けた部分概略図である。
図５が前述した図３と違う点は、境界３０が１パイル分以上の溝幅を有した境界溝３２を形成されていることであり、他の構成は図３と同一であるから、ここではその詳細を省略する。
【００４０】
ループパイルカットパイル模様マットにおいて、看者の模様の視認を強化するには、模様の輪郭を強化することが良く、即ちループパイル領域２０とカットパイル領域１０の境界３０をより鮮明化することである。
そこで、本発明では、境界３０に１パイル分以上のパイルが存在しない溝幅を有した境界溝３２を形成し、看者が模様を視認したときに、この境界溝３２の存在が境界３０の輪郭視を強化する方向に働くことを見出すに至った。即ち、境界３０に最低でも１パイル分の横幅を有した境界溝３２を付与すれば、境界３０の輪郭が看者にとって明瞭になることが明白となった。このようにすれば、模様が看者にとってより浮きだって視認できるのである。
【００４１】
図６は、本発明において、図５の概略断面図である。  ループパイル領域２０の左右には、１パイル分の横幅を有したパイルが形成されていない境界溝３２からなる境界３０が配置され、この境界溝３２からなる境界３０を介して左右にカットパイル領域１０、１０が形成されている。
ループパイル領域２０は多数のループパイル２１が植設されており、ループパイル頭部２２が露出して前述した明色領域が形成される。左右のカットパイル領域１０、１０はカットパイル１１のカット端面１２が露出して、前述したように暗色領域が形成される。
そして、ループパイル領域２０とカットパイル領域１０の境界３０には境界溝３０が形成されているから、ループパイル領域２０とカットパイル領域１０の境界３０が歴然とし、ループパイル領域２０の模様が看者にはより浮きだって視認できることになる。
【００４２】
図７は、本発明に係るループパイルカットパイル模様マットにおいて、ループパイルをカットパイルより高くしたハイループパイル領域を有した実施形態を示す部分概略図である。
図７が前述した図５と違う点は、ループパイル２１がカットパイル１１より背が高くなったハイループパイル２１ａで構成されていることであり、その結果ループパイル領域２０はハイループパイル領域２０ａになり、ループパイル頭部２２はハイループパイル頭部２２ａになり、他の点は図５と同様であるからその詳細な説明は省略する。
ループパイルを高くする理由は、ループパイル２１は自立した状態では略楕円形状になっているから、ループパイル頭部２２が収束しており、根元部の周囲の基布面が看者により視認できる場合がある。そこで、本発明ではループパイルの高さを２インチ以上に設定することにより、自立状態の楕円形状の最太部を増大化でき、その最太部がその根元部の周囲を隠し、看者が根元部の周囲の基布面の視認を不能にする作用効果がある。ループパイルの高さが３インチ以上であれば更に好ましく、４インチ以上であれば最良である。
特に、本発明形態では、ループパイル２１を単に高くするだけでなく、カットパイル１１よりも更に高く設定したハイループパイル２１ａを用いることにより、ループパイル領域２０をハイループパイル領域２０ａにして、カットパイル領域１０との境界を一層明瞭化していることである。
このようカットパイル領域１０よりも更に高く設定されたハイループパイル領域２０ａを用いれば境界溝３２を設けなくてもハイループパイル領域２０ａの模様を歴然と浮き立たせることができる。
勿論、図７に示すように、境界溝３２を形成し、なお且つハイループパイル領域２０ａを形成すれば、より一層に明暗境界を一層に歴然と浮き立たせることが可能になる。
【００４３】
図８は、本発明において、図７の概略断面図である。ハイループパイル領域２０ａの左右には、１パイル分以上の横幅を有したパイルが形成されていない境界溝３２からなる境界３０が配置され、この境界溝３２からなる境界３０を介して左右にカットパイル領域１０、１０が形成されている。
ハイループパイル領域２０ａは多数のハイループパイル２１ａが植設されており、ハイループパイル頭部２２ａが露出して前述した明色領域が形成される。左右のカットパイル領域１０、１０はカットパイル１１のカット端面１２が露出して、前述したように暗色領域が形成される。
本発明形態では、ハイループパイル２１ａの高さがカットパイル１１より高いから、ハイループパイル領域２０ａがカットパイル領域１０よりも上方に突出して形成されることになり、模様の浮き上がり効果を強化して模様を歴然と明瞭化することができる。
しかも、ハイループパイル領域２０ａとカットパイル領域１０の境界３０には境界溝３２が形成されているから、ハイループパイル領域２０ａとカットパイル領域１０の境界３０がより一層に歴然とし、ハイループパイル領域２０ａの模様が看者にはより浮きだって視認できることになる。
【００４４】
本発明は、上記実施形態に限定されるものではなく、本発明の技術的思想を逸脱しない範囲における種々変形例、設計変更、別実施形態などをその技術的範囲内に包含するものであることは云うまでもない。
【産業上の利用可能性】
【００４５】
本発明に係るループパイルカットパイル模様マットは、ループパイルとカットパイルとの光反射率の大きな相違の発見に基づき、ループパイルの先端に形成されたループパイル頭部が高光反射率であることによりループパイル領域を明色領域とし、カットパイルの先端に形成されたカット端面が低光反射率であることによりカットパイル領域を暗色領域とし、明色領域と暗色領域を隣接させて明暗模様を顕現させることができる。
特に、ループパイル頭部での微細領域の個数密度を１０００個／ｃｍ２以上に設定して明色領域の明色化を強化し、カット端面でのフィラメントの本数密度を１０００本／ｃｍ２以上に設定して暗色領域の暗色化を強化したループパイルカットパイル模様マットを提供する。
また、第１にはカットパイル領域におけるカットパイルの目付を５００ｇ／ｍ２以上としたり、第２にはループパイル領域とカットパイル領域には４本以上のパイルを連続して形成したり、第３にはループパイルの高さをカットパイルの高さ以上に高く例えば２インチ以上にしたり、第４にはループパイル領域とカットパイル領域が隣接する境界にはパイル1本分以上の幅を有したパイルを打ち込まない境界溝を形成したループパイルカットパイル模様マットを提供する。
以上のようにして、マットの模様形成を単に色違いで表現するだけでなく、色自体を明色化したり暗色化したりすることにより、より深い味わいのある模様マットを提供して、マットのレンタル業界や売り切り業界に新風を吹かせることが可能になった。
【符号の説明】
【００４６】
１          模様マット
２          パイル層
３          基布層
４          バッキング層
１０        カットパイル領域
１１        カットパイル
１２        カット端面
２０        ループパイル領域
２０ａ      ハイループパイル領域
２１        ループパイル
２１ａ      ハイループパイル
２２        ループパイル頭部
２２ａ      ハイループパイル頭部
３０        境界
３２        境界溝
１０１      基布
１０２      マットパイル
１０４      ハイカットパイル
１０５      ローカットパイル
ａ          ハイ部分
ｂ          ロー部分
２１０      マット
２１１      基布
２１２      パイル
２１２ａ    ループパイル
２１２ｂ    カットパイル
２１３      ゴムシート
２００      カット端面
３００      カット端面
３０１      マット
３０２      パイル
３０２Ａ    ループパイル
３０３      パイル
３０４      パイル
３０５      基布
３０６      マット原反
３０７      ラテックス
３０８      ゴムシート
４１６      地部
４１７      絵部
４１８      エラストマー
４２１      パイル
４２１ａ    パイル
４２１ｃ    パイル
４２２      パイル
４２３      パイル
【図１】
2019130000.tif 000003
【図２】
2019130000.tif 000004
【図３】
2019130000.tif 000005
【図４】
2019130000.tif 000006
【図５】
2019130000.tif 000007
【図６】
2019130000.tif 000008
【図７】
2019130000.tif 000009
【図８】
2019130000.tif 000010
【図９】
2019130000.tif 000011
【図１０】
2019130000.tif 000012
【図１１】
2019130000.tif 000013
【図１２】
2019130000.tif 000014